(57)【特許請求の範囲】
【請求項１】
円筒回転軸に底部を固定した有底円筒形の洗濯脱水槽と、洗濯脱水槽の上部外側にこれと同軸的に配置した環状排水管と、洗濯脱水槽の中心部側へ押出し可能に同槽の内壁面に取り付けた、脱水後の洗濯物をほぐすほぐし部材と、脱水後の洗濯物の乾燥時に、ほぐし部材を洗濯脱水槽の中心部側へ押し出す押出し手段と、除湿機とを備え、前記環状排水管は、内壁部に環状開口部を有し、前記洗濯脱水槽は、環状開口部に臨む位置に複数の排水穴を有し、その排水穴の下側に前記環状開口部から環状排水管の中に伸びて下方に垂れ下がる環状の水切り板を有し、かつ直径が底部から上部にかけて次第に大きくなっており、前記円筒回転軸は、洗濯脱水槽に通じる連結管となっており、その下端部には、三方弁の切り換えによって除湿機からの乾燥空気を洗濯脱水槽に導く給気路と、洗濯脱水槽の洗濯水を外部へ排出する排水路と、洗濯水の洗濯脱水槽からの流出を止める閉止路を形成する三方分岐管が同軸かつ相対回転可能に接続され、前記環状排水管と三方分岐管の間には、洗濯脱水槽から環状排水管に流出した洗濯水を、ポンプによって三方分岐管に送って洗濯脱水槽に還流させる側管が設けられ、前記側管には、着脱可能なフィルターが装着され、前記洗濯脱水槽と環状排水管の下側には、環状排水管から洗濯脱水槽の水切り板の下を通って外部に漏出する泡や水を捕集して排出する漏斗状排水管が設けられていることを特徴とする洗濯機。
【請求項２】
前記側管および／または環状排水管に、洗濯脱水槽とポンプの回転数を制御するために、洗濯脱水槽から環状排水管に流出した洗濯水の量を検出するセンサーを設置したことを特徴とする請求項１記載の洗濯機。
【発明の詳細な説明】
【０００１】
【発明の属する技術分野】
この発明は洗濯機に関するものである。
【０００２】
【従来の技術】
従来の洗濯機は、本件出願人が特開平１１−１３７８９５号公報において提案したものがある。図５及び図６に示す洗濯機がそれである。
【０００３】
図において、３１は有底の洗濯脱水槽で、その底部は同槽３１に連通するように第１の円筒回転軸３２に固定されている。ｔは洗濯脱水槽３１の内壁面に設けた凸部である。第１の円筒回転軸３２に挿通した第２の円筒回転軸３３には、パルセーター３４が取り付けられている。洗濯脱水槽３１の上部外周には、これと同軸的に環状排水管３５が配設されている。３５ａは環状排水管３５に接続した排水管である。
【０００４】
３６は、洗濯脱水槽３１の中心部側へ押出し可能に同槽３１の内壁面に取り付けた、脱水槽の洗濯物をほぐすほぐし部材で、ばね付勢して前記内壁面上に当接させてある。ｇはほぐし部材３６の当りを緩和するクッションゴムである。
【０００５】
このほぐし部材３６は、図６のように、その押出し棒３７が、洗濯脱水槽３１の回転にともなって、環状排水槽３５の出隅部の内壁面に進退可能に設けたローラ３８に乗り上げることによって、洗濯脱水槽３１の中心部側へばね付勢に抗して押し出される。このとき、ほぐし部材３６は、洗濯脱水槽３１の内壁に取り付けた回転軸３６ａを中心にして回動する。
【０００６】
環状排水管３５は、内壁部に環状開口部３５ａを有し、前記洗濯脱水槽３１には、環状開口部３５ａに臨む位置に複数の排水穴３１ａが設けられている。
【０００７】
第２の円筒回転軸３３の上部側壁には、洗濯脱水槽３１に通じる穴３３ａが設けられ、その下端部には、三方分岐管３９が同軸かつ相対回転可能に接続されている。
【０００８】
この三方分岐管３９は、三方弁４０の切り換えによって除湿機４１からの乾燥空気を洗濯脱水槽３１に導く給気路と、洗濯脱水槽３１の洗濯水を外部へ排出する排水路と、洗濯水の洗濯脱水槽３１からの流出を止める閉止路を形成することができる。
【０００９】
従来の洗濯機は、このような構成となっているので、洗濯時には、まず、ほぐし部材３６を押出し位置から退避位置に位置決めし、三方分岐管３９の三方弁４０を切り換えて閉止路を形成する。ついで、洗濯脱水槽３１に給水して洗剤を入れ、洗濯物を投入してパルセーター３４を回転させる。
【００１０】
濯ぎ時には、洗濯脱水槽３１に給水しながらパルセーター３４を回転させる。このとき、洗濯脱水槽３１の水は、排水穴３１ａから環状排水管３５に排出され、ここから排水管３５ａを通って外部に排出される。
【００１１】
脱水時には、三方分岐管３９の三方弁４０を切り換えて排水路を形成し、給水パルセーター３４を止めて洗濯脱水槽３１を高速回転させる。このとき、洗濯脱水槽３１内の水と洗濯物に含まれている水は、遠心力により同槽の傾斜内面にそって上部へ移動し、排水穴３１ａから環状排水管３５へと排出されると同時に、排水路からも排出される。洗濯時や濯ぎ時に第２の円筒回転軸３３と三方分岐管３９に溜っていた洗濯水や濯ぎ水は排水路から排出される。
【００１２】
乾燥時には、洗濯脱水槽３１の洗濯物は、脱水時の遠心力によって同槽の内壁面にへばりつくように環状に寄せつけられる。このため、洗濯物の中央部分には、脱水の過程で、すでに通気路が形成されている。
【００１３】
脱水完了後、ローラ３８でほぐし部材３６を洗濯脱水槽３１の中心部側へ押し出し、同槽の内壁面にへばりついた洗濯物をほぐす。このようにすると、洗濯物相互間と洗濯物と洗濯脱水槽３１の間に通気路が形成される。
【００１４】
ついで、三方分岐管３９の三方弁４０を切り換えて給気路を形成し、除湿機４１を運転する。このとき、外装ケースと洗濯脱水槽３１の中の湿気を含んだ空気は除湿機４１で吸引されて除湿される。除湿されて乾燥した空気は、三方分岐管３９と第２の円筒回転軸３３とその穴３３ａを通って、上記通気路を通過する。乾燥した空気は、この過程で、洗濯物の湿気を吸い、外装ケース内に入って除湿機４１に入る。上述した除湿と吸湿のサイクルを繰り返して、洗濯物は乾燥される。また、この乾燥と上述した洗濯物のほぐしは、適宜、繰り返して行うことができる。
【００１５】
【発明が解決しようとする課題】
しかしながら、従来の洗濯機には、なお、次のような問題がある。
【００１６】
すなわち、洗濯は、三方分岐管３９の三方弁４０を切り換えて閉止路を形成し、洗濯脱水槽３１に給水して洗剤を入れ、洗濯物を投入してパルセーター３４を回転させることによって行うので、洗濯物は、これに土砂、糸くず、ゴミの類が付着している場合には、これらが付着したままの状態で洗浄される。
【００１７】
また、濯ぎは、洗濯脱水槽３１に給水しながらパルセーター３４を回転させ、同槽３１からあふれる水を環状排水管３５に排水するので、大量の水を使用する場合は、浮遊する土砂糸くず、ゴミの類はある程度除去できる。しかし、充分とは言えない。
【００１８】
このため、洗濯物は、土砂、糸くず、ゴミの類が充分に除去されないで付着したままの状態で、脱水、乾燥されてしまう。あとから、残った土砂、糸くず、ゴミ等を除去すればよいが、手間がかかり面倒である。
【００１９】
この発明は、このような従来の問題点に着目してなされたもので、洗濯脱水槽の回転によって、そこから環状排水管にあふれる洗濯水または濯ぎ水を側管に導き、ここで濾過しながら、その途中に設けたポンプで洗濯脱水層へ還流させて洗濯と濯ぎを行う構成とすることによって、洗濯物からこれに付着している土砂、ゴミ等を効果的に除去できる洗濯機を提供することを目的とする。
【００２０】
【課題を解決するための手段】
この発明が提供する洗濯機は、円筒回転軸に底部を固定した有底円筒形の洗濯脱水槽と、洗濯脱水槽の上部外側にこれと同軸的に配置した環状排水管と、洗濯脱水槽の中心部側へ押出し可能に同槽の内壁面に取り付けた、脱水後の洗濯物をほぐすほぐし部材と、脱水後の洗濯物の乾燥時に、ほぐし部材を洗濯脱水槽の中心部側へ押し出す押出し手段と、除湿機とを備え、前記環状排水管は、内壁部に環状開口部を有し、前記洗濯脱水槽は、環状開口部に臨む位置に複数の排水穴を有し、その排水穴の下側に前記環状開口部から環状排水管の中に伸びて下方に垂れ下がる環状の水切り板を有し、かつ直径が底部から上部にかけて次第に大きくなっており、前記円筒回転軸は、洗濯脱水槽に通じる連結管となっており、その下端部には、三方弁の切り換えによって除湿機からの乾燥空気を洗濯脱水槽に導く給気路と、洗濯脱水槽の洗濯水を外部へ排出する排水路と、洗濯水の洗濯脱水槽からの流出を止める閉止路を形成する三方分岐管が同軸かつ相対回転可能に接続され、前記環状排水管と三方分岐管の間には、洗濯脱水槽から環状排水管に流出した洗濯水を、ポンプによって三方分岐管に送って洗濯脱水槽に還流させる側管が設けられ、前記側管には、着脱可能なフィルターが装着され、前記洗濯脱水槽と環状排水管の下側には、環状排水管から洗濯脱水槽の水切り板の下を通って外部に漏出する泡や水を捕集して排出する漏斗状排水管が設けられていることを特徴とするものである。
【００２１】
上記側管および／または環状排水管に、洗濯脱水槽とポンプの回転数を制御するために、洗濯脱水槽から環状排水管に流出した洗濯水の量を検出するセンサーを設置することができる。
【００２２】
【発明の実施の形態】
以下、この発明の実施の形態を実施例によって説明する。
【００２３】
図１は実施例の洗濯機の要部縦断面図、図２は実施例の洗濯機の横断面図、図３は図１のほぐし棒の動作説明図、図４は図１のフィルター装置の分解斜視図である。
【００２４】
図において、１は、直径が底部から上部にかけて次第に大きくなっている有底円筒形の洗濯脱水槽で、円筒回転軸２に固定されている。この回転軸２は洗濯脱水槽１に通じる管として機能する。円筒回転軸２は、軸受け３を介して外装ケース４に取り付けられている。洗濯脱水槽１の上部の直径は底部のそれより５〜１０％大きくする必要がある。この実施例では、８％大きく形成されている。洗濯脱水槽１はモータで正転または左右往復回転する。５は洗濯脱水槽１を回転させるためのプーリーである。
【００２５】
洗濯時と濯ぎ時には、モータは左右往復回転モードに設定される。各モードの設定は、図外の制御装置によってなされる。
【００２６】
１ａは、洗濯脱水槽１の上部周壁に、環状に一定の間隔で設けた排水穴で、１ｂはこの排水穴１ａの下側につば状に設けた水切り板である。
【００２７】
６は洗濯脱水槽１の底部の円筒回転軸２の開口部に被せる蓋である。この蓋６には、図２に示すように、小さな通水孔６ａが多数個設けられている。
【００２８】
７は、洗濯脱水槽１の上部外側に、これと同軸的に配置して外装ケース４に取り付けた環状排水管で、７ａはその内壁に設けた環状開口部である。環状排水管７の底面７ｂは、後述する側管８側へ傾斜した傾斜面となっている。前記水切り板１ｂは、環状開口部７ａに嵌合されている。
【００２９】
すなわち、水切り板１ｂは、環状排水管７の環状開口部７aから同排水管７の中に伸びて下方に垂れ下がった形状で前記環状開口部７ａに嵌合されている。洗濯脱水槽１と環状排水管７は、このような嵌合関係が得られる位置に配設されている。
【００３０】
８は、排水穴１ａと環状開口部７ａを通って環状排水管７に流入する洗濯脱水槽１の洗濯水を同槽１に還流するための側管で、環状排水管７と後述る三方分岐管１８の間に接続されている。
【００３１】
１ｃは、洗濯脱水槽１の内周面に設けた断面半球形状の凸条である。凸条１ｃは、円周方向に６０度間隔で６本設けられている。
【００３２】
なお、図示しないが、脱水時の洗濯物の片寄りによる洗濯脱水槽の振動を防止する手段は設けられている。
【００３３】
９は、脱水後の洗濯物をほぐすためのほぐし部材で、洗濯脱水槽１の開口部近傍の内壁面に図外のブラケットを介して取り付けた回転軸１０に取り付けられている。ほぐし部材９は、取付け状態においては、洗濯脱水槽の内壁面に沿い、かつ蓋６と干渉しない形状と大きさを有している。すなわち、ほぐし部材９は、図３に示すように、Ｕ字形の棒材をＬ字形に折り曲げた形状になっていて、各ほぐし部材９を囲むようにこれに近接状態で配置されている。ほぐし部材９は、全部で６個、６０度間隔で配置されている。
【００３４】
１１は、ほぐし部材９を洗濯脱水槽１の内壁面に押し当てて退避位置に付勢するばねである。
【００３５】
１２は、ほぐし部材９に突設した押出し棒で、洗濯脱水槽１の排水穴１ａと排水穴１ａの間に設けた穴１ｄ（図２）に挿通され、環状排水管７の中に突出している。この押出し棒１２は、同管７の入隅部に配設した後述の進出位置にきたローラ１３に接触したとき、ばね付勢に抗してほぐし部材９を洗濯脱水槽１の中心部側へ押し出す。Ｇは、ほぐし棒９が押し出し位置（進出位置）からばね１１によって退避位置に戻ってきたときの衝撃を緩和するクッションゴムで、洗濯脱水槽１に設けた凹部に嵌着されている。
【００３６】
１３は、図２に示すように、現状排水管７の入隅部に配設したローラで、押出し棒１２が接触したとき、ほぐし部材９を押し出すためのものである。このローラ１３は、アーム１４を介してギヤードモータ１５に水平方向へ回動可能に取り付けられていて、鎖線位置が退避位置であり、実線位置が進出位置である。両位置への駆動の制御は、図外の制御手段によってなされる。１６は、進出位置にきたローラ１３のアーム１４のストッパである。
【００３７】
ローラ１３とほぐし部材９の位置関係と働きは、次のようになっている。
【００３８】
いま、ローラ１３を進出位置に出し、洗濯脱水槽１を矢印Ｒ方向へゆるやかに回転させると、押出し棒１２がローラ１３に接触し、これに押される。すると、各ほぐし部材９は、順次、洗濯脱水槽１の中央部側へ押し出される。脱水後の洗濯物は、この押し出されたほぐし部材９によってほぐされる。
【００３９】
１７は除湿機、１８は円筒回転軸２と除湿機１７の間に介装した三方分岐管である。三方分岐管１８は、第１分岐管１８ａと第２分岐管１８ｂと第３分岐管１８ｃとより構成されている。第１分岐管１８ａと円筒回転軸２は、同軸かつ相対回転可能に接続されており、第２分岐管１８ｂは除湿機１７の乾燥空気吹出口（図示せず）に接続され、第３分岐管１８ｃは外部へ開放されている。
【００４０】
１９は三方分岐管１８に設けた三方弁である。三方弁１９を実線位置に切り換えたときは、第１分岐管１８ａが洗濯水の洗濯脱水槽１と側管８からの流出を止める閉止路を形成する。三方弁１９を図面上右へ１２０度回転させて切り換えたときは、第１分岐管１８ａと第３分岐管１８ｃが洗濯脱水槽１の洗濯水を外部へ排出する排水路を形成する。三方弁１９の制御は、図外の弁制御装置によって行われる。２０は洗濯機の蓋で、外装ケース４の上部開口部に覆せられる。
【００４１】
前述した側管８は、第１分岐管１８ａに接続されている。Ｐは側管８の途中に配設したポンプである。
【００４２】
洗濯脱水槽１の左右往復回転による遠心力で同槽１から環状排水管７にあふれ出た洗濯水は、ポンプＰで加速されて円筒回転軸２から洗濯脱水槽１に還流される。
【００４３】
洗濯時または濯ぎ時に、洗濯脱水槽１の左右往復回転による遠心力で同槽１からあふれ出る洗濯水の量は、同槽１の左右往復の回転数の増減によって増減する。したがって、洗濯時脱水槽１からあふれ出る洗濯水を再び同槽１に還流させて循環させるためには、ポンプの回転数も、洗濯脱水槽１の回転数の増減に応じて増減させる必要がある。
【００４４】
環状排水管７の側管８寄りと、側管８にそれぞれ設けた圧力センサーＳ1，Ｓ2は、そのためのものである。両圧力センサーＳ1，Ｓ2は、洗濯脱水槽１からあふれ出た洗濯水または濯ぎ水の量を検出し、そのときの検出信号を洗濯脱水槽１の左右往復の回転数を制御する図外の第１制御装置と、ポンプＰの回転数を制御する図外の第２制御装置に出力する。
【００４５】
圧力センサーＳ1，Ｓ2の検出信号を入力した第１，第２制御装置は、それぞれ洗濯脱水槽１の回転数とポンプＰの回転数を制御する。
【００４６】
洗濯脱水槽１の単位時間当りの回転数は、任意の値に設定できる構成となっている。
【００４７】
Ｆはフィルター装置で、図４に示すように、フィルター２１と、そのホルダー２２と、フィルター２１をホルダー２２に取り付けるピン２３とより構成されている。
【００４８】
ホルダー２２は、側壁に９０度間隔でスリット２２ａを設けた筒体の上端につば２２ｂを設け、下端部にボトルネック部２２ｃを設けたものである。フィルター２１は、試験管状の長いフィルターで、その上端部はホルダー２２のボトルネック部２２ｃに嵌め、ボトルネックに嵌めたピン２３で挟持して脱落しないように取り付けられている。
【００４９】
フィルター装置Ｆは、図１に示すように、外装ケース４と環状排水管７に設けた穴から挿入して装着されている。装着状態においては、フィルター２１は側管８の中に挿入され、ホルダー２２はつば２２ｂが外装ケース４に掛止され、下端部が側管８の中に挿入されて環状排水管７の中に保持されている。環状排水管７に流れ込んだ洗濯水は、ホルダー２２のスリット２２ａからフィルター２１の中に流れ込む。
【００５０】
４１は、洗濯脱水槽１と環状排水管７の下側に配設した漏斗状排水管で、環状排水管７から洗濯脱水槽１の水切り板１ｂの下を通って外部へ漏れ落ちる泡や洗濯水、濯ぎ水等の水を捕集して排出する管である。
【００５１】
この漏斗状排水管４１は、外装ケース４と側管８と軸受け３に取り付けたすり鉢状の水受け板４１ａと、水受け板４１と第３分岐管１８ｃを連結する排水管４１ｂとより構成されている。水受け板４１ａの中央部には、円筒回転軸２と水受け板４が干渉しないように円形の穴が設けられ、その穴の口縁部には、洗濯脱水槽１と干渉しないように、環状の立上げ部ｔが設けられている。
【００５２】
実施例の洗濯機は、上述のような構成となっているので、洗濯時には、ローラ１３を退避位置に位置決めし、三方弁１９を切り換えて閉止路を形成する。ついで、洗濯脱水槽１に洗濯物を投入する。注水前に洗濯脱水槽１を空回転させ慣性力により洗濯物の量を計量する。その後、水を必要量だけ注入して洗剤を入れ洗濯を開始する。注水量により水面と排水穴１ａの間隔に差が出るため、洗濯脱水槽の左右の回転数を徐々に増加させ環状排水管への流入量が適度となったときの回転数を持続することにより洗濯ができる。
【００５３】
この時、洗濯脱水槽１の凸条１ｃは水流に乗って回転する洗濯物を押し洗いする。ほぐし部材９は、凸条１ｃを囲むように、これに近接状態で配置されているので、この凸条１ｃがほぐし部材９に洗濯物が強く当たるのを防止し、その曲がりを防ぐ。このため、洗濯脱水槽１の左右回転の切り替えによるほぐし部材９の回転軸１０の支持部に加わるストレスを減少させることが可能となる。また、洗濯脱水槽１の左右往復回転によって同槽１の排水穴１ａからあふれ出た洗濯水は、ポンプＰで側管８と三方分岐管１８の第１分岐管１８ａを通って再び洗濯脱水槽１へ還流される。洗濯脱水槽１の洗濯水は、このようにして循環する。そして、その過程で、洗濯物から出て洗濯水中に浮遊または混入している土砂、糸くず、ゴミ等は、フィルター２１によって除去される。
【００５４】
濯ぎをする時は、まず、三方弁１９を切り換えて排水路を形成して洗濯脱水槽１から汚れた洗濯後の洗濯水を排水する。ついで、三方弁１９を切り換えて閉止路を形成し、濯ぎ水を給水し、洗濯脱水槽１を所要回転数で左右に往復回転させながら、濯ぎ水を所要回数循環させて１回目の濯ぎを行う。この過程においても、洗濯時と同様、濯ぎ水の中に浮遊または混入している土砂、糸くず、ゴミ等は、フィルター２１によって除去される。
【００５５】
１回目の濯ぎを終えたら、三方弁１９を切り換えて排水路を形成し、濯ぎ水を排水する。
【００５６】
２回目以降の濯ぎも同じ要領で行う。所要回数終えたならば、脱水を行う。
【００５７】
脱水は、三方分岐管１８に排水路を形成したままの状態で、排水完了後、洗濯脱水槽１を高速回転（例えば、１０００回転／分）させることによって行う。
【００５８】
このとき、洗濯物に含まれている水は、遠心力により、同槽１の傾斜内面にそって上部へ移動し、排水穴１ａから環状排水管７に流入し、側管８を通って外部へ排出される。脱水過程で、脱水洗濯槽１の中の洗濯物は、脱水時の遠心力によって同槽１の内壁とほぐし部材９にへばりついて環状になり、洗濯物の中央部に通気路が形成される。
【００５９】
洗濯物の乾燥は、洗濯機の蓋２０を被せ、ローラ１３を進出位置に持ってきて、三方弁１９を切り換えて給気路を形成し、洗濯脱水槽１を矢印Ｒ方向へときどきゆるやかに回転させて、ほぐし部材９で脱水した洗濯物をほぐす。そして、ほぐしながら除湿機１７を運転する。
【００６０】
このとき、外装ケース４と洗濯脱水槽１の中の湿気を含んだ空気は、除湿機１７で吸引されて除湿される。除湿されて乾燥した空気は、給気路と円筒回転軸２を通って、洗濯物の間及び洗濯物と洗濯脱水槽１の間に形成された通気路を通過する。乾燥した空気は、この過程で、洗濯物の湿気を吸い、外装ケース４内に入って除湿機１７に入る。以下、このサイクルを繰り返して、洗濯物は乾燥する。
【００６１】
洗濯と濯ぎと脱水の過程で、環状排水管７から洗濯脱水槽１の水切り板１ｂの下を通って外部に漏出して落下した泡、洗濯水、濯ぎ水、脱水した水は、漏斗状排水管４１に捕集されて、第３分岐管１８ｃから外部へ排出される。
【００６２】
【発明の効果】
以上説明したように、この発明によれば、洗濯脱水槽の左右往復回転によって、そこから環状排水管にあふれ出る洗濯水または濯ぎ水を側管に導き、ここで濾過しながらその途中に設けたポンプで同槽へ還流させて洗濯と濯ぎを行う構成としたので、洗濯と濯ぎの過程で、洗濯物からこれに付着または混入している土砂、糸くず、ゴミ等を効果的に除去することができる。
【図面の簡単な説明】
【図１】  実施例の洗濯機の縦断面図
【図２】  実施例の洗濯機の洗濯脱水槽の排水穴部分における横断面図
【図３】  図１におけるほぐし部材の動作説明図
【図４】  図１におけるフィルター装置の分解斜視図
【図５】  従来の洗濯機の縦断面図
【図６】  図５におけるほぐし部材の動作説明図
【符号の説明】
１  洗濯脱水槽
１ａ  排水穴
１ｂ  水切り板
１ｃ  凸条
１ｄ  穴
２  円筒回転軸
６  蓋
６ａ  通水孔
７  環状排水管
７ａ  環状開口部
７ｂ  底面
８  側管
９  ほぐし部材
１０  回転軸
１１  ばね
１２  押出し棒
１３  ローラ
１４  アーム
１５  ギヤードモータ
１６  ストッパ
１７  除湿機
１８  三方分岐管
１９  三方弁
２０  蓋
Ｓ1，Ｓ2  圧力センサー
Ｐ  ポンプ
Ｆ  フィルター装置
２１  フィルター
２２  ホルダー
２２ａ  スリット
２２ｂ  つば
２３  ピン
４１  漏斗状排水管
４１ａ  水受け板
４１ｂ  排水管
【図１】
0003713219.tif 000002
【図２】
0003713219.tif 000003
【図３】
0003713219.tif 000004
【図４】
0003713219.tif 000005
【図５】
0003713219.tif 000006
【図６】
0003713219.tif 000007